(57)【要約】【課題】着座や起立などの邪魔にならない位置に設置し、トイレットペーパーを使用する際には使用者の正面等に近付けることができるトイレットペーパーホルダー支持具を提供する。【解決手段】壁面に取り付け固定する固定板１１と、固定板１１とヒンジ部１４によって接続されたアーム部１２と、アーム部１２とヒンジ部１５によって接続されたアーム部１３とを備え、ヒンジ部１２およびヒンジ部１３は、互いの回転軸が平行となるように設置され、アーム部１３は、少なくともトイレットペーパーを保持するトイレットペーパーホルダーを取り付け可能な長手方向長さを有し、アーム部１２は、固定板１１を壁面に固定してヒンジ部１５を回転させてアーム部１３と略直線状に配置したとき、アーム部１３に取り付けられたトイレットペーパーホルダーが、便器に着座した使用者の正面に配置される長さを有することを特徴とする。【選択図】図１
2017202049.tif 000002
【特許請求の範囲】
【請求項１】
壁面に取り付け固定する固定板と、
前記固定板と第１ヒンジ部によって接続された第１アーム部と、
前記第１アーム部と第２ヒンジ部によって接続された第２アーム部と、
を備え、
前記第１ヒンジ部および第２ヒンジ部は、
互いの回転軸が平行となるように設置され、
前記第２アーム部は、
少なくともトイレットペーパーを保持するトイレットペーパーホルダーを取り付け可能な長手方向長さを有し、
前記第１アーム部は、
前記固定板を前記壁面に固定して前記第２ヒンジ部を回転させて前記第１アーム部と略直線状に配置したとき、前記第２アーム部に取り付けられたトイレットペーパーホルダーが、便器に着座した使用者の正面に配置される長手方向長さを有する、
ことを特徴とするトイレットペーパーホルダー支持具。
【請求項２】
前記第１アーム部および第２アーム部は、
前記第１ヒンジ部及び第２ヒンジ部を回転させて前記第１アーム部と前記第２アーム部とを重ね合せたとき、前記第２アーム部に固定されたトイレットペーパーホルダーが、前記壁面に固定された固定板の表面に重なる位置に配置される、各々の長手方向長さを有する、
ことを特徴とする請求項１に記載のトイレットペーパーホルダー支持具。
【請求項３】
前記固定板、前記第１アーム部、前記第２アーム部、前記第１ヒンジ部および前記第２ヒンジ部は、ステンレス鋼によって構成されている、
ことを特徴とする請求項１または２に記載のトイレットペーパーホルダー支持具。
【請求項４】
前記固定板、前記第１アーム部、前記第２アーム部、前記第１ヒンジ部および前記第２ヒンジ部は、富士ひのき材を用いて構成されている、
ことを特徴とする請求項１または２に記載のトイレットペーパーホルダー支持具。
【発明の詳細な説明】
【技術分野】
【０００１】
本発明は、トイレットペーパーホルダーを屋内壁等に設置するトイレットペーパーホルダー支持具に関する。
【背景技術】
【０００２】
ロール状のトイレットペーパーは、使用する際にトイレットペーパーホルダー等に装着することが一般的である。このトイレットペーパーホルダーは、トイレットペーパーの中心孔、もしくは円筒状の芯材の孔部に挿入する保持部と、トイレットペーパーのロール外周の一部分を覆うカバー部を備え、トイレットペーパーを回転自在な状態で支持するように構成されている（例えば、特許文献１参照）。
このようなトイレットペーパーホルダーは、トイレや浴室（シャワー）ユニットなどに備えられ、室内壁面の適当な位置に、ビスなどを用いて取付け固定されている（例えば、特許文献２参照）。トイレットペーパーホルダーの設置位置は、トイレ便器等に使用者が着座したとき、当該使用者の正面またはその近傍であって、腕を延ばすことによって届く位置に設けられている。
【先行技術文献】
【特許文献】
【０００３】
【特許文献１】特開２００５−３２３８５９号公報
【特許文献２】特開２０１３−２８９７８号公報
【発明の概要】
【発明が解決しようとする課題】
【０００４】
トイレットペーパーホルダーは、壁面に設置するときには一般的な成人の体格を想定して位置決めが行われ、また、便器等を設置した室内において、例えば、ドアや手洗い用のボウルなどの設置位置によって配置に制限が生じることがある。
また、着座している使用者の正面にトイレットペーパーホルダーを設置固定することは困難であり、一般的には着座位置の側方壁面等に取り付け固定される場合が多い。
そのため、トイレットペーパーホルダーからトイレットペーパーを引き出すときには、身体をねじるようにして腕を延ばす姿勢になる。
【０００５】
特に、子供や小柄な成人、高齢者、病人、けが人などがこのような姿勢になると、身体各部に不快なストレスを感じることがある。
また、便器等に着座した使用者の身体に近付けてトイレットペーパーホルダーを壁面に固定すると、使用者が着座するとき、または着座姿勢から立ち上るときに、壁面から突出しているトイレットペーパーホルダーが邪魔になり、特に、身体動作に障害を有する負傷者や高齢者などが上記の使用者である場合には転倒を招くおそれがあるという問題点があった。
【０００６】
本発明は、上記課題に鑑みなされたもので、着座や起立などの邪魔にならない位置に設置し、トイレットペーパーを使用する際には使用者の正面等に近付けることができるトイレットペーパーホルダー支持具を提供することを目的とする。
【課題を解決するための手段】
【０００７】
本発明に係るトイレットペーパーホルダー支持具は、壁面に取り付け固定する固定板と、前記固定板と第１ヒンジ部によって接続された第１アーム部と、前記第１アーム部と第２ヒンジ部によって接続された第２アーム部とを備え、前記第１ヒンジ部および第２ヒンジ部は、互いの回転軸が平行となるように設置され、前記第２アーム部は、少なくともトイレットペーパーを保持するトイレットペーパーホルダーを取り付け可能な長手方向長さを有し、前記第１アーム部は、前記固定板を前記壁面に固定して前記第２ヒンジ部を回転させて前記第１アーム部と略直線状に配置したとき、前記第２アーム部に取り付けられたトイレットペーパーホルダーが、便器に着座した使用者の正面に配置される長手方向長さを有することを特徴とする。
【０００８】
また、前記第１アーム部および第２アーム部は、前記第１ヒンジ部及び第２ヒンジ部を回転させて前記第１アーム部と前記第２アーム部とを重ね合せたとき、前記第２アーム部に固定されたトイレットペーパーホルダーが、前記壁面に固定された固定板の表面に重なる位置に配置される、各々の長手方向長さを有することを特徴とする。
【０００９】
また、前記固定板、前記第１アーム部、前記第２アーム部、前記第１ヒンジ部および前記第２ヒンジ部は、ステンレス鋼によって構成されていることを特徴とする。
【００１０】
また、前記固定板、前記第１アーム部、前記第２アーム部、前記第１ヒンジ部および前記第２ヒンジ部は、富士ひのき材を用いて構成されていることを特徴とする。
【発明の効果】
【００１１】
本発明によれば、便器に着座した使用者の正面にトイレットペーパーホルダーを近付けることができ、使用者は着座した状態で無理な姿勢にならずにトイレットペーパーを使用することができる。
【図面の簡単な説明】
【００１２】
【図１】この発明の実施例１によるトイレットペーパーホルダー支持具の構成を示す説明図である。
【図２】図１のトイレットペーパーホルダー支持具を設置した状態を示す説明図である。
【図３】図２に示したトイレットペーパーホルダー支持具を伸ばした状態を示す説明図である。
【図４】この発明の実施例２によるトイレットペーパーホルダー支持具の構成を示す説明図である。
【発明を実施するための形態】
【００１３】
以下、この発明の実施の一形態を説明する。
（実施例１）
図１は、この発明の実施例１によるトイレットペーパーホルダー支持具の構成を示す説明図である。図示したホルダー支持具１は、例えばステンレス鋼を用いて構成されたものである。なお、図１では、ロール状のトイレットペーパーを引き出し可能な状態で保持するトイレットペーパーホルダーの図示を省略している。
ホルダー支持具１は、トイレ室内壁等に固定する固定板１１、固定板１１に支持されたアーム部１２、アーム部１２に支持されたアーム部１３を備えて構成されている。
【００１４】
固定板１１は、トイレ室内の壁面等に設置固定する際に、ビス等を挿通させるビス孔１６を複数個所に設けており、また、アーム部１２の長手方向の一端部と接続して当該アーム部１２を支持するヒンジ部１４を備えている。
ヒンジ部１４は、アーム部１２の長手方向に対して鉛直に、また、当該アーム部１２の短手方向に沿った回転軸を有するように設置されており、アーム部１２の一端部を起点として当該アーム部１２を左右いずれの方向にも回転可能に構成されている。
アーム部１２の他端部もしくはアーム部１３の一端部には、これらの部分を接続するヒンジ部１５が備えられている。
ヒンジ部１５は、回転軸がヒンジ部１４の回転軸と平行となるように設置されており、アーム部１２の他端部もしくはアーム部１３の一端部を起点として、当該アーム部１３が左右いずれの方向にも回転可能に構成されている。
【００１５】
アーム部１３は、長手方向の他端部において縁端を短手方向に沿って折り曲げた折り曲げ部１３ａを備えており、折り曲げ部１３ａが突出した側の裏面に、図示を省略したトイレットペーパーホルダーがビス等を用いて取り付け固定される。
即ち、アーム部１３は、少なくともトイレットペーパーホルダーを取り付け可能な長手方向の長さを有している。
ヒンジ部１４およびヒンジ部１５は、例えば、十分な強度、耐性等を備えるパイプヒンジであり、ＳＵＳ３０４ステンレス鋼の丸パイプ材等を用いて構成されている。また、固定板１１、アーム部１２およびアーム部１３はＳＵＳ３０４ステンレス鋼板を用いて構成されている。
【００１６】
図２は、図１のホルダー支持具１を設置した状態を示す説明図である。この図は、便器２１を設置したトイレ室内に、ホルダー支持具１を用いてトイレットペーパーホルダー３０を設置固定した態様を示しており、詳しくは、ホルダー支持具１のアーム部１２とアーム部１３が重なり合うようにヒンジ部１４およびヒンジ部１５を回転させた状態を示している。
ホルダー支持具１の固定板１１は、便器２１の側方に配置されている壁面２２に、各ビス孔１６に挿通したビス等を締めることによって固定されている。
このホルダー支持具１は、便器２１の斜め前方であって、当該便器２１に着座した使用者の例えば胸部の高さで、この状態の使用者が腕を伸ばすことによって届く位置に設置されている。詳しくは、便器２１に着座している使用者の指が、例えば、アーム部１３の折り曲げ部１３ａ等に掛かり、トイレットペーパーホルダー３０等を引き寄せることができる位置に設置されている。
【００１７】
ホルダー支持具１１は、図示したようにアーム部１２とアーム部１３が重なった、いわゆる収納状態では、アーム部１３に取付けられたトイレットペーパーホルダー３０が壁面２２に接近し、壁面２２に固定された固定板１１の表面に重なる位置に当該トイレットペーパーホルダー３０を配置する。換言すると、壁面２２に沿ってトイレットペーパーホルダー３０を支持し、トイレットペーパーホルダー３０に保持されたトイレットペーパーロール３１の回転軸は壁面２２と平行な状態になっている。
なお、この状態において、アーム部１３の折り曲げ部１３ａの先端は、壁面２２に接しており、アーム部１３もしくはトイレットペーパーホルダー３０の長手部分を壁面２２に対して平行となるように支持している。このように壁面２２に対してアーム部１３等を支持するため、折り曲げ部１３ａは、例えば、１０〜１５［ｍｍ］程度、当該アーム部１３の裏面側へ先端が突出するように折り曲げられている。
ヒンジ部１４は、少なくともアーム部１２が固定板１１もしくは壁面２２と略平行な状態から略鉛直な状態となるまで回転することが可能で、ヒンジ部１５は、少なくともアーム部１２とアーム部１３が略平行な状態から略直線状に配置された状態まで回転することが可能に構成されている。
【００１８】
図３は、図２に示したホルダー支持具１を伸ばした状態を示す説明図である。この図は、アーム部１２とアーム部１３が略直線状に配置され、これらアーム部が固定板１１の表面に対して鉛直に支持された状態を示している。
図示したように、ホルダー支持具１の各アーム部が伸ばされたとき、アーム部１３に支持されているトイレットペーパーホルダー３０、もしくはトイレットペーパーロール３１は、便器２１に着座している使用者の胸部高さに支持され、この使用者身体の正面もしくは略正面に配置される。
【００１９】
換言すると、アーム部１２とアーム部１３は、ヒンジ部１５を回転させてこれらアーム部を例えば略直線状に配置したときには、便器２１に着座した使用者の正面にトイレットペーパーホルダー３０を配置する長手方向長さをそれぞれ有している。
なお、このようにヒンジ部１５の回転量等を調整してアーム部１２とアーム部１３を略直線状に配置させたとき、ヒンジ部１４の回転量や回転方向を調整することにより、着座状態の使用者とトイレットペーパーホルダー３０との間を適当に空ける、あるいは接近させることができ、使用者は正面に位置するトイレットペーパーロール３１を引出し使用することが可能になる。
トイレットペーパーロール３１を引出して使用等を行わないときには、ヒンジ部１５ならびにヒンジ部１４を回転させ、図２に示したようにアーム部１２とアーム部１３を重ね合わせてトイレットペーパーホルダー３０を壁面２２の近傍に配置させる（トイレットペーパーホルダー３０を壁面２２に沿わせて収納する）。
【００２０】
（実施例２）
図４は、この発明の実施例２によるトイレットペーパーホルダー支持具の構成を示す説明図である。図示したホルダー支持具２は、例えば富士ひのき材等の木材を用いて構成されたものである。なお、図４ではトイレットペーパーホルダー等の図示を省略している。
ホルダー支持具２は、前述の固定板１１に相当する固定板４１、アーム部１２に相当するアーム部４２、アーム部１３に相当するアーム部４３を備えて構成されている。
また、ホルダー支持具２は、前述のヒンジ部１４に相当するヒンジ部４４、ヒンジ部１５に相当するヒンジ部４５を備えている。
【００２１】
固定板４１は、前述の壁面２２に設置固定する際にビス等を挿通させるビス孔４６を複数箇所に設けている。また、アーム部４２の長手方向の一端部と接続して当該アーム部４２を支持するヒンジ部４４を備えている。
ヒンジ部４４は、アーム部４２の長手方向に対して鉛直に、また、当該アーム部４２の短手方向に沿った回転軸を有するように設置されており、このアーム部４２の一端部を起点として当該アーム部４２を左右いずれの方向にも回転可能に構成されている。
詳しくは、ヒンジ部４４は、支持部材５１、支持部材５２、支持軸５３によって構成されており、支持軸５３の両端を支持固定する二つの支持部材５１を、例えば後述するタップネジ７０等を固定板４１の裏面側から締結し、固定板４１の表面に固定している。
【００２２】
支持部材５２は、アーム部４２の一端部において、例えば後述するタップネジ７０等をアーム部４２の裏面側から締結して、アーム部４２の表面に固定されている。
図４に例示したヒンジ部４４は、支持部材５１によって両端を固定された支持軸５３を、アーム部４２に固定された二つの支持部材５２に貫通させ、固定板４１とアーム部４２とを接続している。
なお、支持部材５２は、支持軸５３を中心軸として回転可能な径の孔部を有している。また、固定板４１およびアーム部４２の一端部には、ヒンジ部４４が回転するとき、固定板４１とアーム部４２が当接して回転動作を妨げないように、例えば、固定板４１のヒンジ部４４が固定された部位（支持部材５１が固定された部位の近傍）には凹部を形成させており、アーム部４２のヒンジ部４４が固定された部位（支持部材５２が固定された部位）には凸部を形成させている。
【００２３】
アーム部４２の他端部とアーム部４３の一端部との接続部分には、ヒンジ部４５が備えられている。
ヒンジ部４５は、回転軸がヒンジ部４４の回転軸と平行となるように設置されており、アーム部４２の他端部もしくはアーム部４３の一端部を起点として、当該アーム部４３が左右いずれの方向にも回転可能に構成されている。
詳しくは、ヒンジ部４５は、支持部材６１、支持部材６２、支持軸６３によって構成されており、支持軸６３の両端を支持固定する二つの支持部材６１を、例えばタップネジ７０等をアーム部４２の表面側から締結し、当該アーム部４２の裏面に固定している。
【００２４】
支持部材６２は、アーム部４３の一端部において、例えばタップネジ７０等をアーム部４３の表面側から締結して、当該アーム部４３の裏面に固定されている。
図４に例示したヒンジ部４５は、支持部材６１によって両端を固定された支持軸６３を、アーム部４３に固定された二つの支持部材６２に貫通させ、アーム部４２とアーム部４３とを接続している。
なお、支持部材６２は、支持軸６３を中心軸として回転可能な径の孔部を有している。また、アーム部４２の他端部およびアーム部４３の一端部には、ヒンジ部４５が回転するとき、アーム部４２とアーム部４３が当接して回転動作を妨げないように、例えば、アーム部４２他端部のヒンジ部４５が固定された部位（支持部材６１が固定された部位の近傍）には凹部を形成させており、アーム部４３一端部のヒンジ部４５が固定された部位（支持部材６２が固定された部位）には凸部を形成させている。
【００２５】
アーム部４３は、表面に図示を省略したトイレットペーパーホルダーがビス等を用いて取り付け固定される。
即ち、アーム部４３は、少なくともトイレットペーパーホルダーを取り付け可能な長手方向の長さを有している。
ヒンジ部４４およびヒンジ部４５は、固定板４１、アーム部４２、アーム部４３と同様に、富士ひのき材等の木材を用いて構成されており、各部にかかる応力や荷重等に耐えられる強度、剛性が得られる厚み等を備えて形成されている。
【００２６】
また、アーム部４２は、前述のアーム部１２と同様な長手長さ等を有し、概ね同様な大きさ、形状に形成されている。アーム部４３は、アーム部１３と同様な長手長さを有し、概ね同様な大きさ、形状に形成されている。
ホルダー支持具２は、前述の便器２１等が設置された室内において、前述のホルダー支持具１と同様な位置に設置固定される。また、ヒンジ部４４およびヒンジ部４５を回転させることにより、アーム部４２およびアーム部４３を移動させ、トイレットペーパーホルダー３０等を、便器２１等に着座した使用者の正面に移動させることが可能であり、壁面２２の近傍に配置（収納）することも可能である。
即ち、ホルダー支持具２は、前述のホルダー１と同様な作用効果を奏する。また、富士ひのき材等を用いて構成しているので、木製特有の色艶と香り等を有しており、室内空間を穏やかな雰囲気に演出することができる。
【符号の説明】
【００２７】
１，２ホルダー支持具
１１，４１固定板
１２，１３，４２，４３アーム部
１３ａ折り曲げ部
１４，１５，４４，４５ヒンジ部
１６，４６ビス孔
２１便器
２２壁面
３０トイレットペーパーホルダー
３１トイレットペーパーロール
５１，５２，６１，６２支持部材
５３，６３支持軸
７０タップネジ
【図１】
2017202049.tif 000003
【図２】
2017202049.tif 000004
【図３】
2017202049.tif 000005
【図４】
2017202049.tif 000006